(57)【特許請求の範囲】
【請求項１】
略三角形状の緩やかな勾配面を有する複数個の架台（１）と、該架台（１）の上面に固着する滑性傾斜板（２）の先端を、前記架台（１）の前端部から突設させるとともに、前記滑性傾斜板（２）の先端から前方に突出して設けた可撓性素材の載雪部（３）とから構成され、該載雪部（３）の前端部を複数個の切り欠きにより凹部（４）と凸部（５）とを交互に形設し、略櫛歯形状（６）にしたことを特徴とする雪庇形設防止装置。
【発明の詳細な説明】
【技術分野】
【０００１】
本発明は、積雪寒冷地の陸屋根や屋上に載設される雪庇形設防止装置に関する。
【背景技術】
【０００２】
積雪寒冷地や豪雪地帯では、住宅の勾配屋根や陸屋根及び、ビル屋上等の風下側にせり出した雪庇の落下による物損事故や人的災害が多発している。
以前は、積雪による建物への荷重を軽減する目的からも、一程量の雪積に達すると屋根に登り人力で雪降ろしをしていた。
しかしながら、少子高齢化社会となり、危険を伴う過酷な高所作業は敬遠されるようになった。
【０００３】
高齢化社会に向けては、早くから雪庇防止用の柵や融雪工法など様々な商品が開発されてきたが、電気を使用した融雪装置では人力は不要になるものの、そのぶん電気代が嵩むので一般庶民には敬遠されがちであった。
初期のものでは勾配屋根に滑り止め防止用ストッパーを設ける工法や、ランニングコストが掛からない発想としては、ビル等では屋上外周部の低い立壁（パラペット）を嵩上げするように、単に板状の柵を立てただけの堆積場所確保を目的としたものであった。
【０００４】
その後、板柵等では高さにより堆積量に限界があるため、板柵の代わりに金網を用いて網目から雪を吹き飛ばすなど、風力を利用して積雪量そのものを減らす工法が多用されるようになり、隣接する柵や金網に隙間を設けたり、下方を浮かして風の吹き抜けを確保する等の工夫をしている。
【０００５】
上述のように初期の堆積場所の確保目的から、積雪量を減らすための網目や、三角形の傾斜面を活用した風力を利用した工法へと変換してきており、現在では雪庇防止網を建物の外壁面から若干外側にせり出して設置し、室内で発生する生活熱が窓などを通して外壁面を伝う上昇気流熱を利用した工法等もある。
しかしながら、最近は雪質の変化により粘着力が非常に強くなっているため、従来のような網目効果も薄れてきていることから、現状の雪質にも対応できる装置の開発が求められている。
【０００６】
また、軒先の両端に設置した装置にワイヤーを張架し、そのワイやーに吊設した移動用ワイヤーを下から横移動させて雪庇自体を切断する工法等もあるが、最終的には人力を必要とする。
人力を必要としない発明としては、特開２０１８−１２３６５７号公報がある。（特許文献１）。
【先行技術文献】
【特許文献】
【０００７】
【特許文献１】特開２０１８−１２３６５７号公報
【発明の概要】
【発明が解決しようとする課題】
【０００８】
従来は屋根や屋上の雪が徐々に融け出し、ある程度軒先からせり出すと雪自体の重みでせん断されて自然落下しており、雪庇防止装置等では雪のせり出し防止を前提とするものであった、
しかしながら、長年の石油資源に依存する生活環境の影響か、雪質に強力な粘着力が増すなどの変化がみられるようになり、従来には発揮できた雪庇防止効果が薄れてきている現実がある。
【０００９】
つまり、数十年かけて変化してきた雪質の粘着力にも対応できる雪庇防止の開発が求められている中、自然相手だけに一長一短があり、業界関係者もこれという決定打を打ち出せていない。
現在は高齢化社会にあり、人力で行う危険な高所作業は敬遠される傾向が強く、基本的には廉価でランニングコストがかからず、自己完結型の雪庇防止装置が求められている。
【００１０】
本発明は上記の諸問題に鑑み成されたものであり、自然の摂理を利用した廉価でランニングコストがかからず、自己完結型の雪庇防止装置を提供することを課題としている。
【課題を解決するための手段】
【００１１】
略三角形状の緩やかな勾配面を有する複数個の架台１と、該架台１の上面に固着する滑性傾斜板２の先端を、前記架台１の先端部より突設させるとともに、前記滑性傾斜板２の先端から前方に突出して設けた可撓性素材の載雪部３とから構成されている。
突出した前記可撓性素材の載雪部３の前端部を、複数個の切り欠きにより凹部４と凸部５とを交互に形設し、前記載雪部３の前端部を略櫛歯形状６にする。  
【発明の効果】
【００１２】
昨今の粘着力が非常に強い雪質は、従来では考えられないほど大きく雪庇が形設される傾向にあり、以前は屋根や外壁から雪庇がある程度せり出すと、雪の自重で雪庇上面に亀裂が入り自然落下していたが、昨今では粘着力が強いためにより大きく巻き込むように形設されている。
この大きく巻き込むように形設された雪庇が、いよいよ自重に耐え切れず落下すると重量があるために、落下地点にある器物や人体に与える影響や被害もより大きなものとなっていた。
【００１３】
この雪庇落下による災害事故を軽減するためは、雪庇が大きくなる前に意図的に落下させるか、そもそも雪庇が形設されないように何らかの処理対策が必要である。
本発明によると、滑性傾斜板２の緩やかな傾斜と、滑性傾斜板２の先端部から突設した可撓性素材による載雪部３前端部の、凹部４と凸部５からなる略櫛歯形状６との二段階方式で雪庇の形設を防止できる。
【００１４】
本発明の大きな特徴は、滑性傾斜板２の先端からさらに前方に突設した可撓性素材の載雪部３の前端部を、複数個の切り欠きにより凹部４と凸部５とを交互に形設して略櫛歯形状６にしたことにあり、降雪は凹部４の隙間は通り抜け、凸部５の上面にしか積もらないことになる。
つまり、落下する雪庇が大きく形設されるのを防ぐと同時に、略櫛歯形状６の可撓性素材の狭い凸部５面のたわみ効果も最大限に発揮できる。
【００１５】
高所の屋上でも常に強風が吹くとは限らず、風雪が強いときには滑性傾斜板２の傾斜に沿って雪は斜め上方に吹き飛ばされ、また滑性傾斜板２の先端から突設した可撓性素材の載雪部３の凸部５が強風ではためき、略櫛歯形状６には雪が積もらずにはたき落とされる。
その際の振動で、凸部５の近傍の雪も一緒に落下する。  
【００１６】
また無風時の降雪では、突設した載雪部３の略櫛歯形状６の凸部５面に積もった雪は、一程量の大きさになると雪の自重で凸部５が下方に大きくたわみ、雪の上面に亀裂が入り雪の自重でせん断されて落下するが、可撓性素材の略櫛歯形状６の凸部５は元の状態に復元する。
上記の作用効果により、人力による危険で過酷な高所作業が不要になり、電気を使わずにランニングコストもかからず故障も少ない、自己完結型の廉価な雪庇形設防止装置を提供する。
【図面の簡単な説明】
【００１７】
【図１】本発明の一実施例の一部平面図
【図２】本発明の一実施例のＸ−Ｘ矢視断面図
【図３】本発明の一実施例の強風時の作用説明断面図
【図４】本発明の一実施例の無風時の作用説明断面図
【図５】本発明における変形態様の一実施例の断面図
【発明を実施するための形態】
【００１８】
積雪地帯における建築物の屋根や屋上の雪庇が形設される風下面に載設し、雪庇の巨大化を防止する自己完結型の雪庇形設防止装置である。
略三角形状の緩やかな勾配面を有する複数個の架台１と、該架台１の上面に固着する滑性傾斜板２の先端を、前記架台１の先端部より突設させるとともに、前記滑性傾斜板２の先端からさらに前方に突出して設けた可撓性素材の載雪部３とから構成されている。
突出した前記可撓性素材の載雪部３の前端部を、複数個の切り欠きにより凹部４と凸部５とを交互に形設し、前記載雪部３の前端部を略櫛歯形状６にする。  
なお、設置時には凸部５を建物外壁より外側に装置する。
【００１９】
昨今の雪質は粘着力が強いために、従来よりも雪庇が大きく形設される傾向にある。
この雪庇をせん断・落下させるには、雪庇が徐々にせり出す形設速度と雪の粘着力との均衡を断つ必要があり、そのためには雪の載置面を垂直に近づけることと、雪庇にショックを与える方法が最も有効である。
【００２０】
本発明では、風雪が強いときは緩やかな勾配の滑性傾斜板２の傾斜に沿って雪を斜め上方に吹き飛ばし、無風時には載雪部３前端部の略櫛歯形状６にせり出した雪は、可撓性素材の凸部５が雪の自重で下方に大きくたわみ、垂直に近づけて凸部５上面の雪をせん断して落下させる。
この二段階の仕組みによる、自己完結型の雪庇形設防止装置を提供するものである。
【実施例】
【００２１】
本実施例では、建築物屋上の雪庇が形設される風下側に本装置を設置した。
また、架台１にはステンレスＬ型鋼材を使用し、滑性傾斜板２にはステンレス板材を用いているが、可撓性素材の載雪部３以外には、耐錆性のある金属系素材を使用してもよい。
【００２２】
以下に実施例を基に、各図を参照にして以下に作用及び動作を順に説明する。
図１は、本発明の一実施例の一部平面図である。
図はパラペットのあるビルに設置したもので、複数個のステンレス架台１を適宜な間隔で屋上面に固定し、その上に滑性傾斜板２として固着したステンレス板材を架台１の先端面より突設させ、さらに前方に突き出した状態の載雪部の３前端部は、複数個の切り欠きによる凹部４と凸部５とを等間隔に交互に設けた略櫛歯形状６に形設されている。
なお、載雪部３前端部の凸部５は、パラペット外壁より外側に突き出るように設置されている。
【００２３】
図２は、本発明の一実施例のＸ−Ｘ矢視断面図である。
当該屋上のパラペットの高さに合わせた複数個の架台１を屋上面に固定し、その上に滑性傾斜板２として固着されたステンレス板材の先端を架台１前端部より延設させ、その延設した滑性傾斜板２の裏面に、可撓性素材の載雪部３がさらに前方に突出した状態に固着されている。
【００２４】
図３は、本発明の一実施例の強風時の作用説明断面図である。
強風時の降雪は、緩やかな勾配の滑性傾斜板２により、雪が滑るように傾斜に沿って斜め上方に吹き飛ばされる。
また、パラペット外壁より外側に突き出た載雪部３前端部の可撓性素材の凸部５が強風にあおられてはためき、その振動も伴って周囲の雪を効率よく一緒にはたき落とす。
【００２５】
図４は、本発明の一実施例の無風時の説明断面図である。
高所の屋上とはいえ常に強風状態とは限らず、無風時の降雪は載雪部３の前端部の略櫛歯形状６の凹部４の隙間から雪はすり抜け、凸部５上面にのみ雪が堆積することになる。
堆積した雪が一定量になると雪の自重で可撓性素材の凸部５が下方に大きくたわみ、垂直面に近づくと同時に雪は頂部に亀裂が生じ、せん断されて落下する。
【００２６】
図５は、本発明における変形態様の一実施例の断面図である。
変形態様では、架台１の上に滑性傾斜板２の下地材として型枠木材７を固定し、滑らかで可撓性のある樹脂素材を型枠木材７全面に張着し、その樹脂素材の先端をそのまま延設して載雪部３としており、前端部を略櫛歯形状にしたものである。
突設した状態に設けられる可撓性素材の載雪部３と、滑性傾斜板２とを一体型したものである。
【００２７】
本発明の大きな特徴は、可撓性素材の載雪部３の前端部を略櫛歯形状６にしたことにある。
略櫛歯形状６の凸部５の載雪面は狭くなり、雪庇の巨大化を防ぐとともにたわみ効果を最大限に活用でき、また前述のはためき効果にも影響し、可撓性素材の凸部５は雪の落下後には元の形状に復元するため人手を煩わすこともなく、自己完結型の雪庇形設防止装置である。
【産業上の利用可能性】
【００２８】
本発明は、少子高齢化社会における危険で過酷な高所作業を回避するとともに、粘着力で従来よりも大きく形設された雪庇落下による人身や物損事故の軽減を目的としており、ハイテク機器に頼らずに「自然の法則」を以て、ランニングコストが掛からぬようにしたものであり、産業上の利用面からも有益な発明である。
【符号の説明】
【００２９】
１    架台
２   滑性傾斜板
３    載雪部
４    凹部
５    凸部
６    略櫛歯形状
７    型枠木材
Ａ   パラペット
Ｂ    屋上面
Ｃ    建物躯体
Ｄ    外壁
【要約】
【課題】  昨今の粘着力の強い雪質にも対応でき、自然の法則を活用してランニングコストが掛からず、高齢化社会に向けた自己完結型の雪庇形設防止装置を提供する。
【解決手段】  略三角形状の緩やかな勾配面を有する複数個の架台１と、架台１の上面に固着する滑性傾斜板２と、滑性傾斜板２の先端部から突設した、可撓性素材による載雪部３とから構成されている。
載雪部３の先端部を、複数個の切り欠きによる凹部４と凸部５とを交互に設けて略櫛歯形状６に形設する。
【選択図】  図２【図１】
0006667789.tif 000002
【図２】
0006667789.tif 000003
【図３】
0006667789.tif 000004
【図４】
0006667789.tif 000005
【図５】
0006667789.tif 000006